【事件の表示】
　特願２０１５−５３３２５１「ビデオコーディングにおけるアクセスユニット非依存コード化ピクチャバッファ除去時間」拒絶査定不服審判事件〔平成２６年　３月２７日国際公開、ＷＯ２０１４／０４７５７７、平成２７年１１月１６日国内公表、特表２０１５−５３３０５６〕について、次のとおり審決する。
【結　論】
　本件審判の請求は、成り立たない。
【理　由】
第１　手続の経緯
　本願は、２０１３年（平成２５年）年９月２３日（パリ条約による優先権主張外国庁受理　２０１２年９月２４日、米国、２０１２年１０月１日、米国、２０１３年９月２０日、米国）を国際出願日とする出願であって、その手続の経緯は以下のとおりである。
　平成２７年　５月２１日　　：手続補正
　平成２８年　８月２５日　　：手続補正
　平成２８年１２月１２日　　：手続補正
　平成２８年１２月２２日付け：拒絶理由通知
　平成２９年　５月２９日　　：意見書の提出、手続補正
　平成２９年　６月１２日付け：拒絶査定
　平成２９年１０月２０日　　：審判請求、手続補正
　平成３０年１０月　４日付け：拒絶理由通知（当審）
　平成３１年　２月　５日　　：意見書の提出、手続補正
第２　本願発明
　本願の請求項に係る発明は、平成３１年２月５日付けの手続補正により補正された特許請求の範囲の請求項１〜４１に記載された事項により特定されるものと認められるところ、その請求項１に係る発明（以下、「本願発明」という。）は次のとおりである。
　なお、本願発明の各構成の符号（Ａ）〜（Ｇ）は、説明のために当審において付したものであり、以下、構成Ａ〜構成Ｇと称する。
（本願発明）
「（Ａ）　アクセスユニットレベルとサブピクチャレベルとを有するコード化ピクチャバッファ（ＣＰＢ）を用いてビデオデータを復号するための方法であって、
（Ｂ）　（Ｂ−１）アクセスユニット（ＡＵ）中の第１の復号ユニット（ＤＵ）のコード化ピクチャバッファ（ＣＰＢ）除去時間と前記ＡＵ中の第２のＤＵのＣＰＢ除去時間との間の持続時間を復号することと、（Ｂ−２）ここにおいて、前記第２のＤＵは、復号順序において、前記第１のＤＵの後であり、前記第１のＤＵと同じＡＵ中にあり、（Ｂ−３）これによって、前記ＡＵ中の前記第１のＤＵと前記第２のＤＵについてのタイミング情報が、前記ＡＵとは異なる第２のＡＵからのタイミング情報に依存しない構成とされ、
（Ｃ）　前記復号された持続時間に少なくとも部分的に基づいて、前記第１のＤＵの前記ＣＰＢ除去時間を決定することと、
（Ｄ）　前記ＣＰＢ除去時間に、前記ＣＰＢから前記第１のＤＵに関連付けられたビデオデータを除去し、前記第１のＤＵに関連付けられた前記ビデオデータを復号することとを備え、
（Ｅ）　前記第２のＤＵは、復号順序において、前記ＡＵ中の前記第１のＤＵの直後であり、
（Ｆ）　前記決定することは、（Ｆ−１）前記第１のＤＵの前記ＣＰＢ除去時間を、前記第２のＤＵの前記ＣＰＢ除去時間と、前記第１のＤＵの前記ＣＰＢ除去時間との間の前記持続時間、（Ｆ−２）または、前記ＡＵ中の最後のＤＵのＣＰＢ除去時間と、前記第１のＤＵの前記ＣＰＢ除去時間との間の持続時間、（Ｆ）のいずれかに基づいて復号することを含み、
（Ｇ）　前記方法は、１つまたは複数のサブピクチャレベルＣＰＢパラメータを復号することをさらに備え、前記第１のＤＵの前記ＣＰＢ除去時間を決定することは、前記復号された持続時間および前記１つまたは複数のサブピクチャレベルＣＰＢパラメータに少なくとも部分的に基づいて、前記第１のＤＵの前記ＣＰＢ除去時間を決定することを備える、（Ａ）方法。」
第３　当審における拒絶の理由
　平成３０年１０月４日の当審が通知した拒絶理由のうちの理由２は、概略次のとおりのものである。
　本件出願の下記の請求項に係る発明は、その出願前日本国内又は外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　　　　　　　　記
・請求項１〜５、７〜１４、１６〜２８、３０〜３７、３９〜４８に対して
　　引用文献１
・請求項６、１５、２９、３８に対して
　　引用文献１、２
　引用文献１：特開２０１０−２３２７２０号公報
　引用文献２：Benjamin Bross et al., High efficiency video coding (HEVC) text specification draft 8, Joint Collaborative Team on Video Coding (JCT-VC) of ITU-T SG16 WP3 and ISO/IEC JTC1/SC29/WG11 10th Meeting: Stockholm, SE, 2012-07-28, [JCTVC-J1003_d7] (version 8), p.53
第４　引用文献の記載事項及び引用文献に記載された発明
１．引用文献１の記載事項
　当審における拒絶の理由に引用した引用文献１には、「画像符号化方法および画像復号化方法」（発明の名称）に関し、図面と共に次に掲げる事項が記載されている。
　なお、下線は強調のために当審で付したものである。
「【技術分野】
【０００１】
　
本発明は、動画像の符号化を行う画像符号化方法および画像の復号化を行う動画像復号化方法に関する。
【背景技術】
【０００２】
　動画像符号化の国際標準規格として広く普及しているISO/IEC　13818-2（非特許文献１）（以下MPEG2）や、ITU-T　Rec.　H.264（非特許文献２）（以下H.264）では、圧縮単位である画像フレームまたはフィールドをピクチャと定義し、ピクチャをエンコード及びデコードのアクセス単位（アクセスユニット）としている。通常のエンコードでは、ピクチャ毎に、画像複雑度や符号化モード（フレーム内符号化、前方予測符号化、双方向符号化など）などにより符号量が変動する。
【０００３】
　固定ビットレートの伝送路や最大伝送レートが定められた伝送路で、破綻無く伝送及び再生を実現するため、各国際標準規格では、仮想デコーダモデルを規定し、仮想デコーダにおける受信バッファモデルにおいてオーバーフローやアンダーフローが発生しないように、ピクチャ単位の符号量変動を制御することがエンコーダに義務付けられている。
仮想デコーダモデルは、
H.264ではHRD（Hypothetical　Reference　Decoder）と呼ばれ、
HRDモデルではCPB（Coded　Picture　Buffer）と呼んでいる。これらの仮想受信バッファモデルでは、ピクチャをアクセス単位とする動作が定義されている。
「【００１８】
（第１の実施の形態）
　
第１の実施の形態にかかるエンコーダは、
符号化に際し、デコーダにおいてピクチャ単位だけでなくスライス単位でデコードおよび表示を行うことができる符号化データを生成し、出力する。エンコーダ１００は、
記憶部１４０と、制御部１５０とを備えている。
【００１９】
　ＶＬＣ部１２０は、エンコーダコア１１０による処理後のデータ５０２を取得し、スライス単位で可変長符号化や算術符号化などのエントロピー符号化を行い、符号化データを得る。なお、
データ５０２には、ＤＣＴ係数など信号処理結果を示す情報のほか、符号化データをスライス単位で復号化するタイミングを示すタイミング情報、符号化データをピクチャ単位で復号化するタイミングを示すタイミング情報など符号化すべきデータが含まれている。
エントロピー符号化により得られた符号化データ５０４は、ストリームバッファ１３０を介して出力される。
【００２０】
　
記憶部１４０は、スライス単位の仮想バッファモデルおよびピクチャ単位の仮想バッファモデルの２つの仮想バッファモデルを記憶している。ピクチャ単位の仮想バッファモデルは、ピクチャに関する符号化データを入出力単位とするバッファモデルである。スライス単位の仮想バッファモデルはスライスに関する符号化データを入出力単位とするバッファモデルである。
「【００２２】
　
図２は、符号化データを受信した際の、２つの仮想バッファモデル（仮想受信バッファモデル）の動作例を示す図である。
【００２３】
　図２に示すｘ２は、ピクチャを単位とする仮想バッファモデルのバッファサイズ、ｘ１は、スライスを単位とする仮想バッファモデルのバッファサイズを示している。点線６１０は、ピクチャを単位とする仮想バッファモデルにおける符号化データを示している。実線６２０は、スライスを単位とする仮想バッファモデルにおける符号化データを示している。なお、説明の便宜上、図２においては４スライスが１つのピクチャを構成する場合の例を示している。
【００２４】
　
ピクチャ単位の仮想バッファモデルにおいては、第１ピクチャに関する符号化データ６１１は、第１ピクチャのデコードタイミングｔ４まで仮想バッファに蓄積され、タイミングｔ４において瞬時に出力され、デコード処理が行われる。同様に、第２ピクチャの符号化データ６１２は、デコードタイミングｔ８まで仮想バッファに蓄積され、タイミングｔ８において瞬時に出力され、デコード処理が行われる。
【００２５】
　制御部１５０は、記憶部１４０からピクチャ単位の仮想バッファモデルのバッファサイズｘ２を取得する。そして、バッファサイズｘ２に対して、上記仮想バッファモデルの動作において、オーバーフローおよびアンダーフローしないようにピクチャ単位の符号化データのデータ量を制御する。
【００２６】
　また、
スライス単位の仮想バッファモデルにおいては、第１スライスに関する符号化データ６２１は、第１スライスのデコードタイミングｔ１まで仮想バッファに蓄積され、タイミングｔ１において瞬時に出力され、デコード処理が行われる。同様に第２スライスの符号化データ６２２はデコードタイミングｔ２まで仮想バッファに蓄積され、タイミングｔ２において瞬時に出力され、デコード処理が行われる。
【００２７】
　制御部１５０は、記憶部１４０からスライス単位の仮想バッファモデルのバッファサイズｘ１を取得する。そして、バッファサイズｘ１に対して、上記仮想バッファモデルの動作において、オーバーフローおよびアンダーフローしないようにスライス単位の符号化データのデータ量を制御する。」
「【００３０】
　
図３に示すデコード画像７１１およびデコード画像７１２は、それぞれ図１の仮想バッファモデル６１０において点線６１１、６１２で示す第１ピクチャおよび第２ピクチャの符号化データから得られるデコード画像である。制御部１５０は、第１ピクチャを復号化するタイミングであるｔ４、第２ピクチャを復号化するタイミングであるｔ８をそれぞれピクチャ単位のタイミング情報とする。
「【００３２】
　
図３に示すデコード画像７２１、７２２、７２３、７２４は、図１において実線で示したスライス単位の仮想バッファモデル６２０において実線６２１、６２２、６２３、６２４で示す第１スライス〜第４スライスの符号化データから得られるデコード画像である。制御部１５０は、第１スライスを復号化するタイミングであるｔ１、第２スライスを復号化するタイミングであるｔ２など各スライスを復号化するタイミングを示すタイミング情報を、スライス単位のタイミング情報として生成する。
【００３３】
　
制御部１５０は、具体的には、ピクチャ単位のスライス情報に基づいて、スライスを含むピクチャの復号化のタイミングからの差分値として各スライスの復号化のタイミングを規定する。例えば、図３に示す第１スライス７２１〜第４スライス７２４のタイミングｔ１〜ｔ４は、それぞれ第１ピクチャの復号化のタイミングｔ４を基準とし、ｔ４との差分として規定する。また、第５スライス７２５〜第８スライス７２８のタイミングｔ５〜ｔ８はそれぞれ、第２ピクチャの復号化のタイミングｔ８を基準とし、ｔ８との差分として規定する。
「【００３６】
　
本実施の形態にかかるエンコーダ１００においては、従来のピクチャ単位での仮想バッファモデルに対するタイミング情報に加えてスライス単位の仮想バッファモデルに対するタイミング情報を付与した符号化データを生成し出力する。これにより、デコード処理においては、スライス単位でのデコードタイミング制御が可能となり、この場合には、より低遅延で画像を復号化、表示することができる。さらに、スライス単位だけでなくピクチャ単位のタイミング情報も付与されているので、ピクチャ単位でのデコードタイミング制御を行う従来の装置において従来通りの処理によりデコードすることも可能である。
【００３７】
　
以下、エンコーダ１００により生成された１ピクチャに対する符号化データのデータ構成について説明する。符号化データは、図４に示すように、「Access　unit　delimiter」、「SPS　(Sequence　parameter　Set)」、「PPS　(Picture　Parameter　Set)」、「Buffering　period　SEI　(Supplemental　Enhancement　Information)」、「Picture　timing　SEI」を含んでいる。さらに、これに続いて「Slice　timing　SEＩ」および「Slice　data」をそれぞれ１ピクチャに含まれるスライスの数（ｎ）だけ含んでいる。
「【００３９】
　「Picture　timing　SEI」は、ピクチャ単位の仮想バッファモデルにおける復号化および表示のタイミングを示すタイミング情報である。
「Slice　timing　SEI」は、スライス単位の仮想バッファモデルにおける復号化および表示のタイミングを示すタイミング情報である。
「【００４７】
　
図４に示す「Slice　timing　SEI」について詳述する。図８に示す「slice_hrd_flag」は、ピクチャ単位の仮想受信バッファモデルに加えて、スライス単位の仮想バッファモデルが有効であることを示すフラグである。
【００４８】
　また、ピクチャ単位の仮想受信バッファのサイズ及びスライス単位の仮想受信バッファのサイズは同一とし、図５における「cpb_size_value_minus1」においてこのバッファサイズが示される。図６に示す
「slice_cpb_removal_delay_offset」は、スライスを復号化するタイミングを示すスライス単位のタイミング情報を示している。「slice_cpb_removal_delay_offset」は、前述のように、当該スライスが含まれるピクチャの、ピクチャ単位の仮想バッファモデルにおける復号化のタイミング、すなわちデコード時刻からの差分値としてスライス単位のタイミング情報を示している。
【００４９】
　スライス単位の仮想バッファモデルでは、ピクチャ単位の仮想バッファモデルよりも早い時刻にデコードを開始する。そして、「slice_cpb_removal_delay_offset」の値が大きいほど、デコード開始時刻が早いことを意味している。なお、ピクチャ単位の仮想バッファモデルにおけるデコード時刻は、「initial_cpb_removal_delay」および「cpb_removal_delay」から、非特許文献２に示される方法と同様にして計算される。
【００５０】
　ここで、スライス単位の仮想バッファモデルにおける復号化のタイミングの算出処理について説明する。
エンコーダ１００の制御部１５０は、（式１）によりピクチャｎにおけるｉ番目のスライスのデコード開始時刻
【数１】
から、「slice_cpb_removal_delay_offset(i)」を算出する。また、デコーダの制御部は、受信した「slice_cpb_removal_delay_offset(i)」から、（式１）によりピクチャｎにおけるｉ番目のスライスのデコード開始時刻
【数２】
を算出する。
【数３】
ここで、ｔ
ｒ
（ｎ）は、ピクチャ単位の仮想バッファモデルにおけるデコード開始時刻を示している。「slice_cpb_removal_delay_offset(i)」は、「Slice　timing　SEI」で符号化されるスライスｉの復号化時刻、すなわち復号化のタイミングを示すタイミング情報である。ｔ
ｃ
はタイミング情報の単位時間を示す定数である。
「【００６３】
　
次に、符号化データを取得し、これをデコードし、表示するデコーダについて説明する。
【００６４】
　
符号化データ８００は、ストリームバッファ２１０に入力され、パーサ２２０に渡される。パーサ２２０は、図４から図８参照しつつ説明したデータ構造の符号化データの解読を行う。これにより、ピクチャ単位の仮想バッファモデルにおけるタイミング情報およびスライス単位の仮想バッファモデルのタイミング情報を抽出し、これら２種類のタイミング情報８０１を制御部２３０に出力する。制御部２３０は、取得したタイミング情報８０１に基づいて、ピクチャ単位の仮想バッファモデルおよびスライス単位の仮想バッファモデルのうちいずれのモデルでの復号化および表示を行うかを決定し、復号化および表示のタイミングを制御するための制御情報８０２，８０３をそれぞれデコーダコア２４０および表示バッファ２５０に出力する。
「【図２】
 」
「【図３】
 」
「【図８】
 」
２．引用文献に記載された発明
　引用文献１に記載された発明を以下に認定する。
（１）動画像復号化方法及び仮想バッファモデル
　引用文献１の段落【０００１】、【０００３】、【００１８】、【００２０】の記載によれば、引用文献１には、動画像符号化方法及び動画像復号化方法におけるCPB（Coded　Picture　Buffer）と呼ばれる仮想バッファモデルに関する発明が記載されている。
　そして、段落【００１８】、【００２０】、【００３６】、【００６３】、【００６４】の記載によれば、引用文献１には、仮想バッファモデルは、スライス単位の仮想バッファモデルとピクチャ単位の仮想バッファモデルの２つの仮想バッファモデルを有していること、また、スライス単位とピクチャ単位のいずれかの仮想バッファモデルでの符号化データの生成及び符号化データの復号化を行うことが記載されている。
　以上のことから、引用文献１には、『スライス単位とピクチャ単位のいずれかの仮想バッファモデル（CPB（Coded　Picture　Buffer））により符号化データの復号を行う動画像復号化方法』の発明が記載されている。
（２）ピクチャ及びスライスの出力及び復号化のタイミング
　引用文献１の段落【００３０】、【００３２】、【００３３】、【図３】の記載によれば、引用文献１には、第１ピクチャのデコード画像７１１は第１スライス〜第４スライスのデコード画像７２１〜７２４により構成され、第２ピクチャのデコード画像７１２は第５スライス〜第８スライスのデコード画像７２５〜７２８により構成されること、さらに、第１スライス７２１〜第４スライス７２４の復号化のタイミングｔ１〜ｔ４は、それぞれ第１ピクチャの復号化のタイミングｔ４を基準とし、ｔ４との差分として規定され、第５スライス７２５〜第８スライス７２８の復号化のタイミングｔ５〜ｔ８は、それぞれ第２ピクチャの復号化のタイミングｔ８を基準とし、ｔ８との差分として規定されることが記載されている。
　また、引用文献１の段落【００２２】、【００２４】、【００２６】、【図２】の記載によれば、引用文献１には、ピクチャ単位の仮想バッファモデルにおいては、第１ピクチャに関する符号化データ６１１は、第１ピクチャのデコードタイミングｔ４まで仮想バッファに蓄積され、タイミングｔ４において瞬時に出力され、デコード処理が行われ、スライス単位の仮想バッファモデルにおいては、第１スライスに関する符号化データ６２１は、第１スライスのデコードタイミングｔ１まで仮想バッファに蓄積され、タイミングｔ１において瞬時に出力され、デコード処理が行われることが記載されている。
　すなわち、ピクチャ及びスライスの復号化のタイミングｔ１〜ｔ８は、それぞれピクチャ単位及びスライス単位の仮想化バッファからの出力と復号化を行うタイミングである。
　ここで、第１スライス〜第８スライスは、【図２】、【図３】に示される時間軸を鑑みれば、第１から第８の順に復号されるものであることは明かである。
　以上のことから、引用文献１には、『第１ピクチャは第１スライス〜第４スライスにより、第２ピクチャは第５スライス〜第８スライスにより構成され、第１スライス〜第４スライスのスライス単位の仮想化バッファからの出力及び復号化のタイミングｔ１〜ｔ４は、それぞれ第１ピクチャのピクチャ単位の仮想化バッファからの出力及び復号化のタイミングｔ４を基準とし、ｔ４との差分として規定され、第５スライス〜第８スライスのスライス単位の仮想化バッファからの出力及び復号化のタイミングｔ５〜ｔ８は、それぞれ第２ピクチャのピクチャ単位の仮想化バッファからの出力及び復号化のタイミングｔ８を基準とし、ｔ８との差分として規定され、第１スライス〜第８スライスは、第１から第８の順に復号されるものであること』が記載されている。
（３）タイミング情報
　引用文献１の段落【００１９】、【００３７】、【００３９】、【００４７】、【００４８】、【図８】の記載によれば、符号化データは、スライス単位の仮想バッファモデルにおける復号化および表示のタイミングを示すタイミング情報である「Slice　timing　SEI」を有しており、「Slice　timing　SEI」は、スライスを復号化するタイミングを示すスライス単位のタイミング情報を示す「slice_cpb_removal_delay_offset」を有している。
　また、引用文献１の段落【００６４】の記載によれば、符号化データはパーサにより解読され、ピクチャ単位及びスライス単位の仮想バッファモデルのタイミング情報が抽出される。
　すなわち、引用文献１には、『符号化データをパーサにより解読し、スライスを復号化するタイミングを示すスライス単位のタイミング情報である「Slice　timing　SEI」及び「Slice　timing　SEI」に含まれる「slice_cpb_removal_delay_offset」を抽出すること』が記載されている。
（４）タイミングの算出
　引用文献１の段落【００５０】の記載によれば、デコーダの制御部は、受信した「slice_cpb_removal_delay_offset(i)」とピクチャ単位の仮想バッファモデルにおけるデコード開始時刻tr(n)から、
により、ピクチャｎにおけるｉ番目のスライスのデコード開始時刻tsir(n)を算出する。
　ここで、tcはタイミング情報の単位時間を示す定数であるから、tsir(n)はtr(n)から「slice_cpb_removal_delay_offset(i)」で規定される時間を減算することにより算出される。
　すなわち、引用文献１には、『ピクチャｎにおけるｉ番目のスライスのデコード開始時刻tsir(n)は、ピクチャ単位の仮想バッファモデルにおけるデコード開始時刻tr(n)から「slice_cpb_removal_delay_offset(i)」により規定される時間を減算することにより算出される』ことが記載されている。
（５）まとめ
　上記（１）〜（４）から、引用文献１には、次の発明（以下、「引用発明」という。）が記載されていると認められる。
　なお、引用発明の各構成を、それぞれに付した符号（ａ）〜（ｇ）により、以下、構成ａ〜構成ｇと称する。
（引用発明）
「（ａ）スライス単位とピクチャ単位のいずれかの仮想バッファモデル（CPB（Coded　Picture　Buffer））により符号化データの復号を行う動画像復号化方法であって、
（ｂ）第１ピクチャは第１スライス〜第４スライスにより、第２ピクチャは第５スライス〜第８スライスにより構成され、
（ｃ）第１スライス〜第４スライスのスライス単位の仮想化バッファからの出力及び復号化のタイミングｔ１〜ｔ４は、それぞれ第１ピクチャのピクチャ単位の仮想化バッファからの出力及び復号化のタイミングｔ４を基準とし、ｔ４との差分として規定され、
（ｄ）第５スライス〜第８スライスのスライス単位の仮想化バッファからの出力及び復号化のタイミングｔ５〜ｔ８は、それぞれ第２ピクチャのピクチャ単位の仮想化バッファからの出力及び復号化のタイミングｔ８を基準とし、ｔ８との差分として規定され、
（ｅ）第１スライス〜第８スライスは、第１から第８の順に復号されるものであり、
（ｆ）符号化データをパーサにより解読し、スライスを復号化するタイミングを示すスライス単位のタイミング情報である「Slice　timing　SEI」及び「Slice　timing　SEI」に含まれる「slice_cpb_removal_delay_offset」を抽出し、
（ｇ）ピクチャｎにおけるｉ番目のスライスのデコード開始時刻tsir(n)は、ピクチャ単位の仮想バッファモデルにおけるデコード開始時刻tr(n)から「slice_cpb_removal_delay_offset(i)」により規定される時間を減算することにより算出される
（ａ）動画像復号化方法。」
第５　対比・判断
１．本願発明の選択的構成について
　本願発明は、構成Ｃ及び構成Ｆの「前記第１のＤＵの前記ＣＰＢ除去時間を決定すること」について、「前記第１のＤＵの前記ＣＰＢ除去時間を、前記第２のＤＵの前記ＣＰＢ除去時間と、前記第１のＤＵの前記ＣＰＢ除去時間との間の前記持続時間」（構成Ｆ−１）または、「前記ＡＵ中の最後のＤＵのＣＰＢ除去時間と、前記第１のＤＵの前記ＣＰＢ除去時間との間の持続時間」（構成Ｆ−２）、のいずれかに基づいて復号すること、という選択的記載を有しており、複数の発明を含むものである。
　なお、構成Ｆ−２の「前記ＡＵ中の最後のＤＵのＣＰＢ除去時間と、前記第１のＤＵの前記ＣＰＢ除去時間との間の持続時間」という構成は、構成Ｂ−１の「第１の復号ユニット（ＤＵ）のコード化ピクチャバッファ（ＣＰＢ）除去時間と前記ＡＵ中の第２のＤＵのＣＰＢ除去時間との間の持続時間」及び構成Ｅの「前記第２のＤＵは、復号順序において、前記ＡＵ中の前記第１のＤＵの直後であり」という構成で特定される『第１のＤＵのＣＰＢ除去時間とその直後の第２のＤＵのＣＰＢ除去時間との間の持続時間』という構成と整合しない、第２のＤＵが第１のＤＵの直後とならない場合が存在する。よって、構成Ｆ−２を備えた発明は技術的な矛盾を含む発明であり、発明の特定が困難である。
　そこで、当審は、本願発明の複数の発明のうち、構成Ｆ−１を有する発明（以下、「本願第１発明」という。）について進歩性の検討を行う。
（本願第１発明）
「（Ａ）　アクセスユニットレベルとサブピクチャレベルとを有するコード化ピクチャバッファ（ＣＰＢ）を用いてビデオデータを復号するための方法であって、
（Ｂ）　（Ｂ−１）アクセスユニット（ＡＵ）中の第１の復号ユニット（ＤＵ）のコード化ピクチャバッファ（ＣＰＢ）除去時間と前記ＡＵ中の第２のＤＵのＣＰＢ除去時間との間の持続時間を復号することと、（Ｂ−２）ここにおいて、前記第２のＤＵは、復号順序において、前記第１のＤＵの後であり、前記第１のＤＵと同じＡＵ中にあり、（Ｂ−３）これによって、前記ＡＵ中の前記第１のＤＵと前記第２のＤＵについてのタイミング情報が、前記ＡＵとは異なる第２のＡＵからのタイミング情報に依存しない構成とされ、
（Ｃ）　前記復号された持続時間に少なくとも部分的に基づいて、前記第１のＤＵの前記ＣＰＢ除去時間を決定することと、
（Ｄ）　前記ＣＰＢ除去時間に、前記ＣＰＢから前記第１のＤＵに関連付けられたビデオデータを除去し、前記第１のＤＵに関連付けられた前記ビデオデータを復号することとを備え、
（Ｅ）　前記第２のＤＵは、復号順序において、前記ＡＵ中の前記第１のＤＵの直後であり、
（Ｆ）　前記決定することは、（Ｆ−１）前記第１のＤＵの前記ＣＰＢ除去時間を、前記第２のＤＵの前記ＣＰＢ除去時間と、前記第１のＤＵの前記ＣＰＢ除去時間との間の前記持続時間、（Ｆ）に基づいて復号することを含み、
（Ｇ）　前記方法は、１つまたは複数のサブピクチャレベルＣＰＢパラメータを復号することをさらに備え、前記第１のＤＵの前記ＣＰＢ除去時間を決定することは、前記復号された持続時間および前記１つまたは複数のサブピクチャレベルＣＰＢパラメータに少なくとも部分的に基づいて、前記第１のＤＵの前記ＣＰＢ除去時間を決定することを備える、（Ａ）方法。」
２．対比
　本願第１発明と引用発明とを対比する。
（１）本願第１発明の構成Ａについて
　引用発明は、スライス単位とピクチャ単位のいずれかの仮想バッファモデル（CPB（Coded　Picture　Buffer））により符号化データの復号を行う動画像復号化方法（構成ａ）の発明である。
　ここで、動画像符号化技術においては、スライスはサブピクチャとも称されるものである。また、アクセスユニット（ＡＵ）はピクチャの符号化データにより構成され、復号ユニット（ＤＵ）は、スライス（サブピクチャ）の符号化データにより構成されることは技術常識である。
　したがって、引用発明の構成ａは、サブピクチャ単位とアクセスユニット単位のいずれかのコード化ピクチャバッファ（ＣＰＢ）により符号化データの復号を行う動画像復号化方法であり、本願第１発明の「アクセスユニットレベルとサブピクチャレベルとを有するコード化ピクチャバッファ（ＣＰＢ）を用いてビデオデータを復号するための方法」に相当する。
（２）本願第１発明の構成Ｂ−１について
ア．「アクセスユニット（ＡＵ）中の復号ユニット（ＤＵ）のコード化ピクチャバッファ（ＣＰＢ）除去時間」について
　引用発明は、構成ｂのように「第１ピクチャは第１スライス〜第４スライスにより、第２ピクチャは第５スライス〜第８スライスにより構成され」ているから、第１スライス〜第４スライスは第１ピクチャの中に存在し、第５スライス〜第８スライスは第２ピクチャの中に存在する。
　ここで、「スライス」が「復号ユニット（ＤＵ）」に対応し、「ピクチャ」が「アクセスユニット（ＡＵ）」に対応することは、上記（１）において検討したとおりであるから、引用発明の「第１スライス〜第４スライス」及び「第５スライス〜第８スライス」は、本願第１発明の「アクセスユニット（ＡＵ）中の復号ユニット（ＤＵ）」に相当する。
　引用発明において、構成ｃの「第１スライス〜第４スライスのスライス単位の仮想化バッファからの出力及び復号化のタイミングｔ１〜ｔ４」及び構成ｄの「第５スライス〜第８スライスのスライス単位の仮想化バッファからの出力及び復号化のタイミングｔ５〜ｔ８」は、それぞれ仮想化バッファからスライスの符号化データを出力し復号化するタイミングである。
　仮想化バッファからスライスの符号化データを出力し復号化するときに、スライスの符号化データを仮想化バッファから除去することは動画像符号化技術の技術常識であり、仮想化バッファはコード化ピクチャバッファ（ＣＰＢ）であるから、引用発明の上記「タイミングｔ１〜ｔ４及びタイミングｔ５〜ｔ８」は、本願第１発明の「コード化ピクチャバッファ（ＣＰＢ）除去時間」に相当する。
　以上のことから、引用発明の「第１スライス〜第４スライスのスライス単位の仮想化バッファからの出力及び復号化のタイミングｔ１〜ｔ４」及び「第５スライス〜第８スライスのスライス単位の仮想化バッファからの出力及び復号化のタイミングｔ５〜ｔ８」は、本願第１発明の「アクセスユニット（ＡＵ）中の復号ユニット（ＤＵ）のコード化ピクチャバッファ（ＣＰＢ）除去時間」に相当する。
イ．「持続時間」について
　引用発明において、構成ｃは、「第１スライス〜第４スライスのスライス単位の仮想化バッファからの出力及び復号化のタイミングｔ１〜ｔ４」は、「第１ピクチャのピクチャ単位の仮想化バッファからの出力及び復号化のタイミングｔ４」を基準とし、ｔ４との「差分」として規定されることを示しており、構成ｄは、「第５スライス〜第８スライスのスライス単位の仮想化バッファからの出力及び復号化のタイミングｔ５〜ｔ８」は、「第２ピクチャのピクチャ単位の仮想化バッファからの出力及び復号化のタイミングｔ８」を基準とし、ｔ８との「差分」として規定されることを示している。
　ここで、「第４スライスのスライス単位の仮想化バッファからの出力及び復号化のタイミングｔ４」は「第１ピクチャのピクチャ単位の仮想化バッファからの出力及び復号化のタイミングｔ４」と同一であり、「第８スライスのスライス単位の仮想化バッファからの出力及び復号化のタイミングｔ８」は「第２ピクチャのピクチャ単位の仮想化バッファからの出力及び復号化のタイミングｔ８」と同一である。
　したがって、「第１スライス〜第３スライスのスライス単位の仮想化バッファからの出力及び復号化のタイミングｔ１〜ｔ３」の各々は、実質的に「第４スライスのスライス単位の仮想化バッファからの出力及び復号化のタイミングｔ４」との「差分」で規定され、同じく「第５スライス〜第７スライスのスライス単位の仮想化バッファからの出力及び復号化のタイミングｔ５〜ｔ７」の各々は、実質的に「第８スライスのスライス単位の仮想化バッファからの出力及び復号化のタイミングｔ８」との「差分」で規定される。
　ここで、上記（１）において検討したよう、引用発明の「スライス」は本願第１発明の「復号ユニット（ＤＵ）」に対応するものであり、上記アにおいて検討したように、引用発明の「第１スライス〜第４スライスのスライス単位の仮想化バッファからの出力及び復号化のタイミングｔ１〜ｔ４」及び「第５スライス〜第８スライスのスライス単位の仮想化バッファからの出力及び復号化のタイミングｔ５〜ｔ８」は、本願第１発明の「アクセスユニット（ＡＵ）中の復号ユニット（ＤＵ）のコード化ピクチャバッファ（ＣＰＢ）除去時間」に相当する。
　また、「第１スライス〜第３スライス」の各々及び「第５スライス〜第７スライス」の各々を「第１の復号ユニット（ＤＵ）」と称し、「第４スライス」及び「第８スライス」を「第２の復号ユニット（ＤＵ）」と称することは任意である。
　よって、引用発明の上記「差分」は、「第１の復号ユニット（ＤＵ）のコード化ピクチャバッファ（ＣＰＢ）除去時間」と「第２の復号ユニット（ＤＵ）のコード化ピクチャバッファ（ＣＰＢ）除去時間」との時間的差分を示すものであり、本願第１発明の「持続時間」に相当するものである。
　すなわち、引用発明における「第１スライス〜第３スライスのスライス単位の仮想化バッファからの出力及び復号化のタイミングｔ１〜ｔ３」の各々と「第４スライスのスライス単位の仮想化バッファからの出力及び復号化のタイミングｔ４」との「差分」及び「第５スライス〜第７スライスのスライス単位の仮想化バッファからの出力及び復号化のタイミングｔ５〜ｔ７」と「第８スライスのスライス単位の仮想化バッファからの出力及び復号化のタイミングｔ８」との「差分」は、本願第１発明の「アクセスユニット（ＡＵ）中の第１の復号ユニット（ＤＵ）のコード化ピクチャバッファ（ＣＰＢ）除去時間と前記ＡＵ中の第２のＤＵのＣＰＢ除去時間との間の持続時間」に相当するものである。
ウ．「持続時間を復号すること」について
　引用発明の構成ｇの「ピクチャｎにおけるｉ番目のスライスのデコード開始時刻tsir(n)」は、構成ｃの「第１スライス〜第４スライスのスライス単位の仮想化バッファからの出力及び復号化のタイミングｔ１〜ｔ４」及び構成ｄの「第５スライス〜第８スライスのスライス単位の仮想化バッファからの出力及び復号化のタイミングｔ５〜ｔ８」であり、構成ｇの「ピクチャ単位の仮想バッファモデルにおけるデコード開始時刻tr(n)」は、構成ｃの「第１ピクチャのピクチャ単位の仮想化バッファからの出力及び復号化のタイミングｔ４」及び構成ｄの「第２ピクチャのピクチャ単位の仮想化バッファからの出力及び復号化のタイミングｔ８」である。
　そして、「ピクチャｎにおけるｉ番目のスライスのデコード開始時刻tsir(n)」は、「ピクチャ単位の仮想バッファモデルにおけるデコード開始時刻tr(n)」から、「slice_cpb_removal_delay_offset(i)」により規定される時間を減算することにより算出されるものであるから、「slice_cpb_removal_delay_offset(i)」は、構成ｃ及び構成ｄの「差分」を表すものである。
　引用発明の構成ｆによれば、「slice_cpb_removal_delay_offset」は、符号化データをパーサにより解読することによって、符号化データから抽出されるものであるから、「slice_cpb_removal_delay_offset」、すなわち「差分」は、符号化データを復号して得られるものである。
　そして、上記イにおいて検討したように、引用発明の「差分」は、本願第１発明の「持続時間」に相当するものであるから、引用発明は「持続時間」を復号するものといえる。
エ．まとめ
　以上のア〜ウの検討を踏まえると、引用発明は、本願第１発明の構成Ｂ−１の「アクセスユニット（ＡＵ）中の第１の復号ユニット（ＤＵ）のコード化ピクチャバッファ（ＣＰＢ）除去時間と前記ＡＵ中の第２のＤＵのＣＰＢ除去時間との間の持続時間を復号すること」を備えているといえる。
（３）本願第１発明の構成Ｂ−２について
　引用発明は、構成ｅのように「第１スライス〜第８スライスは、第１から第８の順に復号されるもの」であり、上記（２）イにおいて検討したように、「第１スライス〜第３スライス」の各々及び「第５スライス〜第７スライス」の各々が「第１の復号ユニット（ＤＵ）」であり、「第４スライス」及び「第８スライス」が「第２の復号ユニット（ＤＵ）」であるから、引用発明において、第２のＤＵは、復号順序において、第１のＤＵの後である。
　また、引用発明は、構成ｂのように第１スライス〜第４スライスは第１ピクチャの中に存在し、第５スライス〜第８スライスは第２ピクチャの中に存在するから、第２のＤＵは、第１のＤＵと同じＡＵ中にある。
　したがって、引用発明は、本願第１発明の構成Ｂ−２の「ここにおいて、前記第２のＤＵは、復号順序において、前記第１のＤＵの後であり、前記第１のＤＵと同じＡＵ中にあり」という構成を備えているといえる。
（４）本願第１発明の構成Ｂ−３について
　引用発明は、第１スライス〜第４スライスのスライス単位の仮想化バッファからの出力及び復号化のタイミングｔ１〜ｔ４は、それぞれ第１ピクチャのピクチャ単位の仮想化バッファからの出力及び復号化のタイミングｔ４を基準とし、ｔ４との差分として規定され（構成ｃ）、第５スライス〜第８スライスのスライス単位の仮想化バッファからの出力及び復号化のタイミングｔ５〜ｔ８は、それぞれ第２ピクチャのピクチャ単位の仮想化バッファからの出力及び復号化のタイミングｔ８を基準とし、ｔ８との差分として規定され（構成ｄ）るものであるから、ＡＵ中の第１のＤＵと第２のＤＵについてのタイミング情報は、当該ＡＵとは異なる第２のＡＵからのタイミング情報に依存しないものである。
　したがって、引用発明は、本願第１発明の構成Ｂ−３の「これによって、前記ＡＵ中の前記第１のＤＵと前記第２のＤＵについてのタイミング情報が、前記ＡＵとは異なる第２のＡＵからのタイミング情報に依存しない構成とされ」という構成を備えているといえる。
（５）本願第１発明の構成Ｃについて
　上記（２）イにおいて検討したように、引用発明において、「第１スライス〜第３スライスのスライス単位の仮想化バッファからの出力及び復号化のタイミングｔ１〜ｔ３」の各々及び「第５スライス〜第７スライスのスライス単位の仮想化バッファからの出力及び復号化のタイミングｔ５〜ｔ７」の各々は、「第１の復号ユニット（ＤＵ）のコード化ピクチャバッファ（ＣＰＢ）除去時間」に相当するものであって、「持続時間」に相当する「差分」により規定されるものである。
　また、上記（２）ウにおいて検討したように、「持続時間」に相当する「差分」は符号化データを復号して得られるものである。
　したがって、引用発明は、本願第１発明の構成Ｃの「前記復号された持続時間に少なくとも部分的に基づいて、前記第１のＤＵの前記ＣＰＢ除去時間を決定すること」という構成を備えているといえる。
（６）本願第１発明の構成Ｄについて
　上記（２）イにおいて検討したように、引用発明において、「第１スライス〜第３スライスのスライス単位の仮想化バッファからの出力及び復号化のタイミングｔ１〜ｔ３」の各々及び「第５スライス〜第７スライスのスライス単位の仮想化バッファからの出力及び復号化のタイミングｔ５〜ｔ７」の各々は、「第１の復号ユニット（ＤＵ）のコード化ピクチャバッファ（ＣＰＢ）除去時間」に相当するものであり、上記（２）アにおいて検討したように、「タイミングｔ１〜ｔ３」及び「タイミングｔ５〜ｔ７」において、それぞれ仮想化バッファからスライスの符号化データを出力して除去し、復号化するものである。
　したがって、引用発明は、本願第１発明の構成Ｄの「前記ＣＰＢ除去時間に、前記ＣＰＢから前記第１のＤＵに関連付けられたビデオデータを除去し、前記第１のＤＵに関連付けられた前記ビデオデータを復号すること」という構成を備えているといえる。
（７）本願第１発明の構成Ｅについて
　「持続時間」によってそれぞれの「ＣＰＢ除去時間」の対応関係が規定される「第１のＤＵ」と「第２のＤＵ」について、引用発明においては、上記（２）イにおいて検討したように、「第１のＤＵ」は、「第１スライス〜第３スライス」の各々及び「第５スライス〜第７スライス」の各々に相当するものであり、「第２のＤＵ」は、各ピクチャの最後のスライスの「第４スライス」及び「第８スライス」に相当するものである。
　ここで、「第４のスライス」及び「第８スライス」は、復号順序において、「第３のスライス」及び「第７スライス」の直後であるが、「第１のスライス」、「第２のスライス」及び「第５スライス」、「第６スライス」の直後ではない。
　したがって、本願第１発明では、「前記第２のＤＵは、復号順序において、前記ＡＵ中の前記第１のＤＵの直後であり」という関係が特定されているのに対し、引用発明では、「第２のＤＵ」は、各ピクチャの最後のスライスの「第４スライス」及び「第８スライス」であるため、そのような関係とはならない点で両者は相違する。
（８）本願第１発明の構成Ｆ及び構成Ｆ−１について
　まず、本願第１発明の構成Ｆの「ＤＵのＣＰＢ除去時間」を、「持続時間に基づいて復号すること」という構成について確認する。
　本願発明の構成Ｆは、平成２９年５月２９日付けの手続補正により付加された構成であり、同日付けの意見書には、当該補正の根拠は、本願明細書の段落００１５の「ＡＵの現在のＤＵについてのＣＰＢ除去時間が、ＡＵ中の、復号順序において次のＤＵと現在のＤＵとのＣＰＢ除去時間の間の持続時間、またはＡＵ中の最後のＤＵと現在のＤＵとのＣＰＢ除去時間の間の持続時間のいずれかに基づいてシグナリングされる」であると記載されている。
　段落００１５の記載は、ＤＵのＣＰＢ除去時間が持続時間に基づいてシグナリングされるということであり、復号側においては、シグナリングされる持続時間を復号してＣＰＢ除去時間を取得することであると認められる。
　したがって、構成Ｆの「ＣＰＢ除去時間」を、「持続時間に基づいて復号すること」という構成は、『ＣＰＢ除去時間を、復号した持続時間に基づいて取得すること』を意味するものと解釈することができる。
　上記（２）イ及び（５）において検討したように、引用発明において、「第１のＤＵのＣＰＢ除去時間」に相当する「第１スライス〜第３スライスのスライス単位の仮想化バッファからの出力及び復号化のタイミングｔ１〜ｔ３」の各々及び「第５スライス〜第７スライスのスライス単位の仮想化バッファからの出力及び復号化のタイミングｔ５〜ｔ７」の各々は、「第２のＤＵのＣＰＢ除去時間」に相当する「第４スライスのスライス単位の仮想化バッファからの出力及び復号化のタイミングｔ４」及び「第８スライスのスライス単位の仮想化バッファからの出力及び復号化のタイミングｔ８」との「差分」により規定され、「差分」は「持続時間」に相当するものである。
　そして、上記（２）ウ及び（５）において検討したように、「持続時間」に相当する「差分」は符号化データを復号して得られるものである。
　すなわち、引用発明は、「第１のＤＵのＣＰＢ除去時間」を、「第２のＤＵのＣＰＢ除去時間」と、「第１のＤＵのＣＰＢ除去時間」との間の復号した「持続時間」に基づいて決定するものといえる。
　したがって、引用発明は、「第１のＤＵのＣＰＢ除去時間を、第２のＤＵのＣＰＢ除去時間と、第１のＤＵのＣＰＢ除去時間との間の持続時間に基づいて復号することにより決定する」ものであり、本願第１発明の構成Ｆ及び構成Ｆ−１を備えているといえる。
（９）本願第１発明の構成Ｇについて
　引用発明は、構成ｆのように『符号化データをパーサにより解読し、スライスを復号化するタイミングを示すスライス単位のタイミング情報である「Slice　timing　SEI」及び「Slice　timing　SEI」に含まれる「slice_cpb_removal_delay_offset」を抽出』するものである。
　ここで、「Slice　timing　SEI」は、スライス単位、すなわちサブピクチャ単位のパラメータであり、構成ｃ及び構成ｄのように、仮想化バッファモデル（ＣＰＢ）からスライスの符号化データを出力し復号化するタイミングを示すタイミング情報であるから、本願第１発明の「サブピクチャレベルＣＰＢパラメータ」に相当するものである。
　そして、符号化データをパーサにより解読し、「Slice　timing　SEI」を抽出することは、「Slice　timing　SEI」を復号することである。
　よって、引用発明は、「サブピクチャレベルＣＰＢパラメータを復号する」構成を備えているといえる。
　また、上記（８）において検討したように、引用発明は、「復号した持続時間に基づいて、第１のＤＵのＣＰＢ除去時間を決定する」ものであり、「持続時間」に相当する「slice_cpb_removal_delay_offset」は、「Slice　timing　SEI」に含まれるものであるから、引用発明は、「サブピクチャレベルＣＰＢパラメータ」に相当する「Slice　timing　SEI」に基づいて、第１のＤＵのＣＰＢ除去時間を決定するものともいえる。
　以上のことから、引用発明は、本願第１発明の構成Ｇの「前記方法は、１つまたは複数のサブピクチャレベルＣＰＢパラメータを復号することをさらに備え、前記第１のＤＵの前記ＣＰＢ除去時間を決定することは、前記復号された持続時間および前記１つまたは複数のサブピクチャレベルＣＰＢパラメータに少なくとも部分的に基づいて、前記第１のＤＵの前記ＣＰＢ除去時間を決定することを備える」という構成を備えているといえる。
（１０）まとめ
　上記（１）〜（９）の対比結果を踏まえると、本願第１発明と引用発明の一致点及び相違点は次の通りである。
　
［一致点］
（Ａ）　アクセスユニットレベルとサブピクチャレベルとを有するコード化ピクチャバッファ（ＣＰＢ）を用いてビデオデータを復号するための方法であって、
（Ｂ）　（Ｂ−１）アクセスユニット（ＡＵ）中の第１の復号ユニット（ＤＵ）のコード化ピクチャバッファ（ＣＰＢ）除去時間と前記ＡＵ中の第２のＤＵのＣＰＢ除去時間との間の持続時間を復号することと、（Ｂ−２）ここにおいて、前記第２のＤＵは、復号順序において、前記第１のＤＵの後であり、前記第１のＤＵと同じＡＵ中にあり、（Ｂ−３）これによって、前記ＡＵ中の前記第１のＤＵと前記第２のＤＵについてのタイミング情報が、前記ＡＵとは異なる第２のＡＵからのタイミング情報に依存しない構成とされ、
（Ｃ）　前記復号された持続時間に少なくとも部分的に基づいて、前記第１のＤＵの前記ＣＰＢ除去時間を決定することと、
（Ｄ）　前記ＣＰＢ除去時間に、前記ＣＰＢから前記第１のＤＵに関連付けられたビデオデータを除去し、前記第１のＤＵに関連付けられた前記ビデオデータを復号することとを備え、
（Ｆ）　前記決定することは、（Ｆ−１）前記第１のＤＵの前記ＣＰＢ除去時間を、前記第２のＤＵの前記ＣＰＢ除去時間と、前記第１のＤＵの前記ＣＰＢ除去時間との間の前記持続時間、（Ｆ）に基づいて復号することを含み、
（Ｇ）　前記方法は、１つまたは複数のサブピクチャレベルＣＰＢパラメータを復号することをさらに備え、（Ｈ）前記第１のＤＵの前記ＣＰＢ除去時間を決定することは、前記復号された持続時間および前記１つまたは複数のサブピクチャレベルＣＰＢパラメータに少なくとも部分的に基づいて、前記第１のＤＵの前記ＣＰＢ除去時間を決定することを備える、（Ａ）方法。
［相違点］
　「持続時間」によってそれぞれの「ＣＰＢ除去時間」の対応関係が規定される「第１のＤＵ」と「第２のＤＵ」について、本願第１発明では、「前記第２のＤＵは、復号順序において、前記ＡＵ中の前記第１のＤＵの直後であり」（構成Ｅ）という関係が特定されているのに対し、引用発明では、「第２のＤＵ」は、各ピクチャの最後のスライスの「第４スライス」及び「第８スライス」であるため、そのような関係とはならない点。
３．相違点の判断
　上記相違点を検討すると、上記相違点は、要するに、本願第１発明は、第１のＤＵのＣＰＢ除去時間が、復号順序において直後である第２のＤＵのＣＰＢ除去時間との間の持続時間により、順に決定されるというものであるのに対し、引用発明は、「第１のＤＵのＣＰＢ除去時間」に相当する「第１スライス〜第３スライスのスライス単位の仮想化バッファからの出力及び復号化のタイミングｔ１〜ｔ３」の各々及び「第５スライス〜第７スライスのスライス単位の仮想化バッファからの出力及び復号化のタイミングｔ５〜ｔ７」の各々が、「第２のＤＵのＣＰＢ除去時間」に相当する「第４スライスのスライス単位の仮想化バッファからの出力及び復号化のタイミングｔ４」及び「第８スライスのスライス単位の仮想化バッファからの出力及び復号化のタイミングｔ８」との「差分」により、直接的に決定されるものであるということである。
　一般的に、時間的に並ぶ複数の時刻情報を、基準となる時刻情報からの差分で直接的に示す手法と、基準から順に差分を加算して相対的に示す手法は、それぞれ置換可能な周知の手法であるといえる。
　したがって、引用発明において、各スライスのタイミングを、基準となる第４スライス及び第８スライスのタイミングから直接的に決定することに代えて、基準となる第４スライス及び第８スライスのタイミングから、順に差分を加算して相対的に決定することに置き換えることは、当業者が容易に想到し得ることと認められる。
　そして、引用発明において、そのような構成を採用することにより、第１スライス〜第３スライス及び第５スライス〜第７スライスのタイミングは、それぞれ復号順序において直後のスライスのタイミングから順に決定する構成となるため、上記相違点に係る本願第１発明の「前記第２のＤＵは、復号順序において、前記ＡＵ中の前記第１のＤＵの直後であり」という構成は、当業者が容易に想到し得ることである。
４．効果について
　本願第１発明の構成は、上記のように当業者が容易に想到できたものであるところ、本願第１発明が奏する効果は、当業者が予測しうる範囲内のものであって、格別顕著なものがあるとは認められない。
５．まとめ
　以上のとおりであるから、本願第１発明は引用発明に基づいて、当業者が容易に発明をすることができたものである。
６．本願発明について
　本願発明は、上記１において述べたように複数の発明を含むものである。
　そして、そのうちの一つの発明である本願第１発明が、上記２〜５において検討したように、引用発明に基づいて、当業者が容易に発明をすることができたものである。
　したがって、本願発明は進歩性を有していない発明である。
第７　むすび
　以上のように、本願の請求項１に係る発明は、引用文献１に記載された発明に基づいて当業者が容易に発明をすることができたものであるから、特許法第２９条第２項の規定により特許を受けることができない。
　したがって、他の請求項について検討するまでもなく、本願は拒絶をすべきものである。
　よって、結論のとおり審決する。